(57)【要約】【課題】  自動車内には煙草や汗などの臭いがある。これらの不快な悪臭を減少させると同時に、夏場の炎天下で駐車する際にハンドルを直射日光から守り、ハンドル温度が猛烈に上昇することを解消する。【解決手段】  自動車のハンドルに簡単に取り付けることのできるハンドルカバーに於いて、表面に悪臭を急速に吸着し分解するウールを使い、裏面にアルミニューム蒸着素材を半円形に縫い合わせ、消臭防熱ハンドルカバーとして利用することで、自動車内の悪臭を解消すると共に、炎天下でのハンドルの猛烈な温度上昇を防ぐ。【選択図】図１
0003146649.tif 000002
【実用新案登録請求の範囲】
【請求項１】
悪臭を強力に吸着し分解する消臭効果を持たせたウール繊維を利用して、自動車内の煙草や汗などの悪臭を解消しながら、その後面に熱反射素材を使用しハンドルに掛けることにより、炎天下でもハンドルの猛烈な温度上昇を防ぐハンドルカバー。
【考案の詳細な説明】
【考案の詳細な説明】
【技術分野】
【０００１】  本考案は、自動車の室内における煙草や、汗などの悪臭を強力に吸着し分解するウールを使用し悪臭を解消するとともに、後面に熱反射素材を使用してハンドルカバーとして利用することでハンドルの温度上昇を抑える事のできる消臭防熱ハンドルカバーに関する。
【背景技術】
【０００２】  従来、フロントガラス等に自動車の内側から設置する遮光板等は有ったが、夏場の炎天下に短時間駐車する際に設置が面倒であり、設置しないと直射日光によりハンドルが猛烈に加熱され、熱いハンドルをしっかりと握ることができなく、駐車後の安全運転に大きな支障をきたしていた。本考案の消臭防熱ハンドルカバーのように自動車内の悪臭を解消しながらハンドルカバーとして利用できる物は無かった。
【考案が解決しようとする課題】
【０００３】  自動車内には煙草や汗などの臭いがある。これらの臭いは乗用する人間にとって不快であると同時に、煙草の煙の成分の中にはアンモニアガス、アセトアルデヒドガス、酢酸ガス、硫化水素ガス、ピリジンガス（ニコチンの臭い成分）、ホルムアルデヒドガスなどの人体にとって高濃度であれば有害に作用する成分がある。これらの不快な悪臭ガスを減少させることを提供すること。
【０００４】  また、従来フロントガラス等に自動車の内側から設置する遮光板等は有ったが、夏場の炎天下に短時間の駐車をする際、従来の遮光板の設置が面倒であり、駐車後にハンドルが猛烈に熱くなる事が多発している。加熱されたハンドルは７０℃近くにまで温度上昇が見られ火傷の可能性や、しっかりと握ることができないことにより安全運転の大きな妨げになっている。このハンドル温度の猛烈な上昇を抑えることを提供すること。
【課題を解決するための手段】
【０００５】  本考案の消臭防熱ハンドルカバーは、特に煙草の煙の臭い成分であるアンモニアガス、アセトアルデヒドガス、酢酸ガス、硫化水素ガス、ピリジンガス（ニコチンの臭い成分）、ホルムアルデヒドガスなどのガスを急速に吸着し分解する性能を持たせたウールを表面に使い、裏側には太陽光を強く反射するアルミニューム蒸着素材を半円形に重ね合わせて、図１に示すようにハンドルに簡単に掛ける事のできる構造を持ったハンドルカバーを使用することで自動車内の不快な悪臭を解消すると共に、ハンドルの猛烈な温度上昇を抑えることができる。
【考案実施の形態】
【０００６】  考案の実施形態を図面を使って説明する。
本体は図２のように前面から見ると自動車のハンドルの直径よりやや大きめな円形をしており、図３のように後面から見ると太陽光を強く反射するアルミニューム蒸着した熱反射素材を半円形に重ね合わせ、本体との間にハンドルの上部が入る空間を確保できるように取り付けられた構造をしている。
【０００７】  また、図４のように本体の形状を安定させる事と、運転時に自動車の座面に置いてシートクッション（座布団）と使用する事ができるように、芯材として通気性の良いウレタン素材を使用している。
【０００８】  本体表面に使う消臭繊維は図５に示すように、特に煙草の煙の臭い成分であるアンモニアガス、アセトアルデヒドガス、酢酸ガス、硫化水素ガス、ピリジンガス（ニコチンの臭い成分）、ホルムアルデヒドガスなどの悪臭ガスを急速に吸着し分解する性能を持たせたウールを使用している。
【０００９】  図６は、快晴の炎天下で外気温度、室内温度、ダッシュボード温度、本考案のハンドルカバーを掛けたハンドル温度、ハンドルカバーの無い場合のハンドル温度を温度計を使って経時的に測定した結果である。
【００１０】  測定実施日の１３：００に於いて直射日光に曝されるダッシュボード温度とハンドルカバーの無い場合のハンドル温度は７０℃近くに達するが、本考案の消臭防熱ハンドルカバーを掛けた場合にはハンドル温度は室温の３６℃までにしか上昇していなかった。この事から、ハンドルの猛烈な温度上昇を抑える効果が確認できる。
【００１１】  ハンドルに簡単に設置できる構造をしたハンドルカバーとして本考案を実施し、自動車内の消臭を行うと共に、ハンドルに当たる直射日光を遮ることで猛烈なハンドルの温度上昇を抑える物である。
【考案の効果】
【００１２】  本考案は、自動車を夏場の炎天下で短時間駐車する際に、ハンドルが直射日光により猛烈に熱くなる事を防ぐことができる。この事によりハンドルは室温程度にしか加熱されないため火傷の可能性が減少し、ハンドルをしっかりと握ることができ安全運転に集中できる。
【００１３】  また、従来の遮光板より小さく軽量でハンドルに設置しやすく、運転時には座席に置くことで収納場所が必要ない。表面の消臭繊維素材は、煙草の煙の臭い成分であるアンモニアガス、アセトアルデヒドガス、酢酸ガス、硫化水素ガス、ピリジンガス（ニコチンの臭い成分）、ホルムアルデヒドガスなどの悪臭ガスを急速に吸着し分解する性能を持たせたウールであり、自動車内の嫌な臭いを減少させることができ、人体にとって有害な化学物質を減少させることができる。
【００１４】  さらに、表面のウールは染色でき、刺繍やプリント柄、ジャガード柄などを加えることで豊かなファッション性を生み出し楽しめるだけでなく、会社の商標などを配置し加えることで企業広告としても使える。
【００１５】  本考案の消臭防熱ハンドルカバーで夏場の炎天下でも、ハンドルの温度が猛烈に上昇することなく、同時に強力な消臭機能を発揮することで、快適な自動車内の空間を提供できる。
【図面の簡単な説明】
【図１】  自動車のハンドルに本考案の消臭防熱ハンドルカバーを取り付けた状態を示す図である。
【図２】  消臭防熱ハンドルカバーを前から見た図である。
【図３】  消臭防熱ハンドルカバーを後ろから見た図である。アルミニュームを蒸着した熱反射素材でできた半円形の部分は本体とバイアステープで縫い合わせてあり、本体との間にハンドルの上部が入る空間が確保されている。
【図４】  消臭防熱ハンドルカバーをハンドルに掛けた状態の断面図である。
【図５】  本考案に使用する消臭繊維の消臭性能実験の結果を示す図である。検査は財団法人日本化学繊維検査協会で実施した。
【図６】  炎天下の閉め切った自動車内で、外気温度、室内温度、ダッシュボードの温度、消臭防熱ハンドルカバーを使用した場合と、使用しない場合のハンドル温度の変化を温度計を使って調べた図である。
【符号の説明】
Ａ  消臭繊維を使った布
Ｂ  アルミニューム蒸着した熱反射素材の布
Ｃ  バイアステープ
Ｄ  ウレタン素材
Ｅ  ハンドル
【図１】
0003146649.tif 000003
【図２】
0003146649.tif 000004
【図３】
0003146649.tif 000005
【図４】
0003146649.tif 000006
【図５】
0003146649.tif 000007
【図６】
0003146649.tif 000008
【手続補正書】
【提出日】平成20年8月14日(2008.8.14)
【手続補正１】
【補正対象書類名】図面
【補正対象項目名】図１
【補正方法】変更
【補正の内容】
【図１】
0003146649.tif 000009